(57)【特許請求の範囲】
【請求項１】
電源のオン・オフの切り替えを行うスイッチつまみを切り替え自在に設けたスイッチ本体と、このスイッチ本体内に設けられる前記スイッチつまみの切り替えにより上下移動するスイッチ押し棒と、このスイッチ押し棒により一端が押圧される形状で上下動可能な支点を介しててこ作用をするアクチュエーターと、このアクチュエーターの他端部に載置される鋼球と、この鋼球と前記スイッチ押し棒により前記アクチュエーターが押圧されたときに電源がオンされるマイクロスイッチと、前記スイッチ本体が傾いたときに、前記鋼球が前記アクチュエーターより転動し前記マイクロスイッチがオフされるように移動する鋼球移動部とを備え、前記鋼球移動部に移動した鋼球は、前記スイッチつまみをオフ側に切り替えることにより、前記アクチュエーターの他端部上に載置できる構成とした転倒オフスイッチ。
【請求項２】
アクチュエーターの他端部上に載置される鋼球の収納される鋼球収納部をスイッチ本体に設け、鋼球収納部の下面には前記鋼球の下方部が前記アクチュエーター上に露出するように開口し、前記鋼球を所定位置に保持する鋼球保持部を形成し、前記鋼球保持部の外方に鋼球移動部を設け、前記鋼球移動部と前記鋼球保持部を鋼球が移動容易な傾斜面で連設した請求項１記載の転倒オフスイッチ。
【請求項３】
アクチュエーターの支点となる軸が上下移動自在な移動溝をスイッチ本体に設け、鋼球が鋼球保持部上にあってスイッチつまみがオンに切り替えられたときに、前記アクチュエーターの支点が前記軸を介して下降しマイクロスイッチがオンされる構成とした請求項１または請求項２記載の転倒オフスイッチ。
【請求項４】
アクチュエーターの支点からスイッチ押し棒により押圧されるスイッチ側となるスイッチ側アクチュエーターの長さに対し、前記支点から鋼球の載置側となる鋼球側アクチュエーターの長さを数倍長く形成した請求項１〜３記載の転倒オフスイッチ。
【請求項５】
アクチュエーターがほぼ水平状態のときにマイクロスイッチがオンされるように鋼球の重量を設定した請求項１〜４記載の転倒オフスイッチ。
【請求項６】
鋼球側アクチュエーターの端部の下方側への移動を阻止するように鋼球側アクチュエーターの下端部が当接する止め部をスイッチ本体に設けた請求項１〜５記載の転倒スイッチ。
【発明の詳細な説明】
【０００１】
【発明の属する技術分野】
本発明は電気温風機等の電気機器に組み込まれ、電気機器が転倒時に電気回路を開路するように設けられる電気機器の電源をオン・オフするスイッチを兼用した転倒オフスイッチに関する。
【０００２】
【従来の技術】
従来、この種の転倒スイッチの一例として特開平９−２０３５２４号公報に記載の安全スイッチが知られている。
【０００３】
以下、その構成について図６を参照しながら説明する。
図に示すように、通電または切断を切換自在に行うスイッチ部１０１が設けられたスイッチ本体１０２と、一端が出退自在にスイッチ本体１０２に設けられたボタン体１０３とからなり、ボタン体１０３がスイッチ本体１０２の内側に押圧されることにより、スイッチ部１０１を接続し、ボタン体１０３が突出することによりスイッチ部１０１が切断される安全スイッチにおいて、ボタン体１０３の所定突出位置にてボタン体１０３をスイッチ本体１０２側に解除自在に係止してボタン体１０３がスイッチ本体１０２内部へ移動を阻止する係止手段を設け、係止手段がボタン体１０３外周面およびスイッチ本体１０２の内周面にそれぞれ形成された溝部１０４ａ、１０４ｂと、溝部１０４ａ、１０４ｂ内に収納された係止体１０５からなり、両溝部１０４ａ、１０４ｂの一方はボタン体１０３の移動を許容すべく係止体１０５が完全に収納される深さに設けられ、他方は係止体１０５の一部が突出する深さに設けられ、しかも両溝部１０４ａ、１０４ｂはボタン体１０３の所定突出位置において互いに対向して合致するように設けられ、ボタン体１０３の一端が略下向きのときは、係止体１０５が一方の溝部１０４ａに収納され、ボタン体１０３の一端側が略横向きのときには、溝部１０４ａ内の係止体１０５が他方の溝部１０４ｂに移動してボタン体１０３の移動を阻止すべく、対向した両溝部１０４ａ、１０４ｂは傾斜状に形成していた。
【０００４】
【発明が解決しようとする課題】
このような従来の安全スイッチでは、ボタン体１０３が内側に押圧されることによりスイッチ部１０１により電気回路を形成しているので、ボタン体１０３が床面等に当接するように電気器具本体１０６の下面側にスイッチ本体１０２を組み込む必要があり、安全スイッチの取付位置が限定されるとともに、壁面等に取り付けられる電気器具には採用することができないという課題があり、取付位置が限定されず、壁面に取り付ける電気機器にも適用できるようにすることが要求されている。
【０００５】
また、電気器具を運転するため電源をオン・オフする運転スイッチとは別に安全スイッチを設けなければならないという課題があり、運転スイッチと安全スイッチを一体化して小型化することが要求されている。
【０００６】
また、電気器具が転倒した場合にはボタン体１０３が外側に突出し、スイッチ部１０１により電気回路が開路された状態でボタン体１０３の内部への移動を阻止する係止手段が設けられているが、電気器具を運転する運転スイッチがオン状態であっても安全スイッチは元の状態に復帰させることができるので安全性が十分であるとはいえないものであり、安全性を高めることが要求されている。
【０００７】
本発明は、このような従来の課題を解決するもので、電気機器への取付けに対し、取付場所が限定されることなく、壁面に取付ける電気機器にも適用することができ、電気機器を運転するために電源をオン・オフする運転スイッチを兼用して小型化することができ、また、安全性を高めることができる転倒オフスイッチを提供することを目的とする。
【０００８】
【課題を解決するための手段】
本発明の転倒オフスイッチは上記目的を達成するために、電源のオン・オフの切り替えを行うスイッチつまみを切り替え自在に設けたスイッチ本体と、このスイッチ本体内に設けられる前記スイッチつまみの切り替えにより上下移動するスイッチ押し棒と、このスイッチ押し棒により一端が押圧される形状で上下動可能な支点を介しててこ作用をするアクチュエーターと、このアクチュエーターの他端部に載置される鋼球と、この鋼球と前記スイッチ押し棒により前記アクチュエーターが押圧されたときに電源がオンされるマイクロスイッチと、前記スイッチ本体が傾いたときに、前記鋼球が前記アクチュエーターより転動し、前記マイクロスイッチがオフされるように移動する鋼球移動部とを備え、前記鋼球移動部に移転した鋼球は前記スイッチつまみをオフ側に切り替えることにより、前記アクチュエーターの他端上に載置できる構成としたものである。
【０００９】
本発明によれば、電気機器への取付けに対し、取付場所が限定されることなく、壁面に取付ける電気機器にも適用することができ、電気機器を運転するために電源をオン・オフする運転スイッチを兼用して小型化することができ、また、安全性を高めることができる転倒オフスイッチが得られる。
【００１０】
【発明の実施の形態】
本発明は、電源のオン・オフの切り替えを行うスイッチつまみを切り替え自在に設けたスイッチ本体と、このスイッチ本体内に設けられる前記スイッチつまみの切り替えにより上下移動するスイッチ押し棒と、このスイッチ押し棒により一端が押圧される形状で上下動可能な支点を介して作用するアクチュエーターと、このアクチュエーターの他端部に載置される鋼球と、この鋼球と前記スイッチ押し棒により前記アクチュエーターが押圧されたときに電源がオンされるマイクロスイッチと、前記スイッチ本体が傾いたときに、前記鋼球が前記アクチュエーターより転動し前記マイクロスイッチがオフされるように移動する鋼球移動部とを備え、前記鋼球移動部に移動した鋼球は前記スイッチつまみをオフ側に切り替えることにより前記アクチュエーターの他端上に載置できる構成としたものであり、転倒オフスイッチのスイッチつまみを電源のオン・オフの切り替えの行いやすい場所となる電気機器の天面側に設けても、転倒すると電気回路をオフすることができ、スイッチ本体の取付場所の制約が少なくなり、また壁面に取り付けられる電気機器にも適用することができるとともに、電源をオン・オフする運転スイッチを兼用できるので、小型に形成でき、運転スイッチと転倒スイッチを別々に電気機器に設けた場合に比較して、占有する容積を小さくすることができる。また、転倒して転倒オフスイッチが動作したのちは、電源をオン・オフする運転スイッチを一旦オフにしなければ正常な元の状態に復帰しないので、安全性がさらに高められるという作用を有する。
【００１１】
以下、本発明の実施例について図面を参照しながら説明する。
【００１２】
【実施例】
（実施例１）
図１〜図５に示すように、本体２内には電源のオン・オフの切り替えを行うスイッチつまみ１を切り替え自在に設け、スイッチつまみ１の切り替えにより上下移動するスイッチ押し棒３を上下移動自在に設けている。スイッチ押し棒３により一端が押圧されるアクチュエーター５は、上下動可能な支点４を介しててこ作用を行うものであり、鋼球６がアクチュエーター５の他端部に載置されるようになっている。また、アクチュエーター５の支点４の下方にはマイクロスイッチ７が設けられ、鋼球６とスイッチ押し棒３によりアクチュエーター５が押圧されたときに、マイクロスイッチ７がオンして、電源が入るようになっている。
【００１３】
スイッチ本体２が傾いたときは鋼球６がアクチュエーター５の他端部より転動し、その周囲に形成した鋼球移動部８に移動するため、アクチュエーター５の他端部が浮き上がり、マイクロスイッチ７はオフされる。
【００１４】
さらにスイッチつまみ１をオフ側に切り替えない限りは、スイッチ本体２の姿勢を正常に戻したとしてもアクチュエーター５の他端が浮き上がっているため、鋼球移動部８に移動した鋼球６は、再びアクチュエーター５の他端上に戻らないようになっている。スイッチ本体１にアクチュエーター５の他端部上に載置される鋼球６の収納される鋼球収納部９を設け、鋼球収納部９の下面には鋼球６の下方部がアクチュエーター５上に露出するように開口１０を形成して鋼球６を所定位置に保持する鋼球保持部１１を形成している。鋼球保持部１１の外方には前記鋼球移動部８が位置し、鋼球移動部８と鋼球保持部１１は鋼球６が移動容易な傾斜面１２で連設している。
【００１５】
また、スイッチ本体２に移動溝１３を設け、アクチュエーター５の支点４となる軸４ａが上下移動自在となるように保持している。通常状態ではスイッチつまみ１がオフのとき、鋼球６は鋼球保持部１１上にあり、アクチュエーター５の一端は上がっているが、スイッチつまみ１がオンに切り替えられたときに、スイッチ押し棒３が押し下げられ、アクチュエーター５の支点４となる軸４ａは移動溝１３を下降してアクチュエーター５はほぼ水平状態となり、マイクロスイッチ７がオンされる。このときアクチュエーター５の鋼球側が上方へ移動しないように、鋼球６の重量をあらかじめ設定している。また、図３に示すようにアクチュエーター５の支点４からスイッチ押し棒３により押圧されるスイッチ側アクチュエーター５ａの長さＬ1に対し、支点４から鋼球６の載置側となる鋼球側アクチュエーター５ｂの長さを
Ｌ1：Ｌ2＝１：５
としている。
【００１６】
スイッチ側アクチュエーター５ａにはスイッチ押し棒３に当接する突部１４を設け、鋼球側アクチュエーター５ｂには鋼球６に当接する突出状受部１５を設けている。
【００１７】
また、鋼球側アクチュエーター５ｂの端部の下方側への移動を制限するように鋼球側アクチュエーター５ｂの下端部が当接する止め部１６をスイッチ本体２に設けている。
【００１８】
上記構成により形成された転倒オフスイッチを電気温風機などの電気機器に取り付けるときには、スイッチつまみ１の操作しやすい位置となる機器本体１７の天面よりスイッチつまみ１が突出するように機器本体１７内にスイッチ本体２をほぼ水平状態に取り付ける。
【００１９】
電気機器を運転するときには、スイッチつまみ１をオンに切り替えるとスイッチつまみ１によりスイッチ押し棒３が押し下げられ、スイッチ押し棒３によりアクチュエーター５のスイッチ側アクチュエーター５ａに設けた突部１４を介してスイッチ側アクチュエーター５ａは押し下げられる。このとき、アクチュエーター５の鋼球側アクチュエーター５ｂ上には突出状受部１５を介して鋼球６が載置されているため、鋼球側アクチュエーター５ｂは上方への移動が阻止されることとなり、アクチュエーター５の支点４の軸４ａが移動溝１３に沿い下降し、スイッチ側アクチュエーター５ａの下降によりマイクロスイッチ７がオンされて電気機器が運転されることとなる。次に、機器本体１７に地震などの振動や外力が加わり傾いたり転倒したときには、鋼球保持部１１に保持されていた鋼球６が転動し、鋼球移動部８へ傾斜面１２を通り移動する。このとき、鋼球側アクチュエーター５ｂに対する押下力が無くなり、マイクロスイッチ７のオフに復帰する復帰力により支点４となる軸４ａが移動溝１３を上昇移動する。このためアクチュエーター５は傾いた状態となり、マイクロスイッチ７により電源はオフとなり、電気機器への通電が断たれ転倒スイッチとしての機能が作用することとなる。
【００２０】
そして、転倒スイッチとして機能している状態で、転倒している機器本体１７を正常な状態に戻しても、スイッチ本体２内の鋼球６は傾いているアクチュエーター５の鋼球側アクチュエーター５ｂの端部が鋼球収納部９内に突出しているため、鋼球６が鋼球側アクチュエーター５ｂ上に載置することができず、マイクロスイッチ７はオン動作できない。そこで電気機器を運転するためには、スイッチつまみ１を一旦オフに切り替える。そうすることにより、スイッチ側アクチュエーター５ａへの押圧力が解除され、マイクロスイッチ７のオフに復帰する復帰力により支点４となる軸４ａが移動溝１３を上昇するとともに、スイッチ側アクチュエーター５ａ側が上昇し、支点４を介して鋼球側アクチュエーター５ｂは下降する。このとき鋼球移動部８に移動していた鋼球６は傾斜面１２を転動し、鋼球保持部１１に保持され、鋼球６は鋼球側アクチュエーター５ｂ上に載置されて正常状態に戻る。そしてスイッチつまみ１をオンに切り替えると、電気機器は当初運転していた状態となって運転されることになる。
【００２１】
このように本発明の実施の形態１の転倒オフスイッチによれば、電源のオン・オフの切り替えを行うスイッチつまみ１に連動するスイッチ押し棒３により一端が押圧され、てこ作用をするアクチュエーター５を設け、アクチュエーター５の他端部に載置される鋼球６と、スイッチ押し棒３によりアクチュエーター５を介して電源がオンされるマイクロスイッチ７を設け、転倒時に鋼球６を鋼球移動部８に転動し、鋼球６はスイッチつまみ１をオフ側に切り替えることにより正常なスイッチ状態に復帰させているので、電気機器への取り付けに対し、取付場所が限定されることなく、壁面に取り付けられる電気機器にも適用可能となる。また、スイッチ本体２は運転スイッチを兼用するので運転スイッチと転倒スイッチを別々に設ける場合に比較して電気機器に組込まれるときの占有面積が少なくなり、使い勝手も良くなり小型化を図ることができる。また機器本体１７の転倒後は、スイッチつまみ１を切り替え、運転回路を一旦オフにしなければ正常な状態に復帰しないので、運転スイッチと転倒スイッチが別々に設けられている場合のように運転スイッチがオン状態でも転倒スイッチが復帰されるものに比較して、さらに安全性が高められることとなる。
【００２２】
また、鋼球収納部９に鋼球６が正常位置に保持される鋼球保持部１１と転倒時に鋼球６が移動する鋼球移動部８を傾斜面１２で連設したので、鋼球６の転倒時および復帰時の転倒が容易になるとともに、マイクロスイッチ７のオン・オフの切り替えが確実に行われることとなる。
【００２３】
また、アクチュエーター５の支点４となる軸４ａを移動溝１３に沿い上下動可能に設けたので、アクチュエーター５の動きがスムーズとなり、マイクロスイッチ７のオン・オフの切り替えを確実に行うことができる。
【００２４】
また、スイッチ側アクチュエーター５ａの長さに対し、鋼球側アクチュエーター５ｂの長さを数倍長くして、てこ作用を利用するので、鋼球６の重量を軽くすることができ、それに伴い鋼球６の径を小さくすることができ、スイッチ本体２を小型化することができる。
【００２５】
また、アクチュエーター５がほぼ水平状態のときにマイクロスイッチ７がオンされるように鋼球６の重量を設定しているので、マイクロスイッチ７にオン・オフの切り替えを行うために上下動自在に設けられている作動子７ａに真上から力が作用し、マイクロスイッチ７のオン・オフ動作を確実に行うことができる。
【００２６】
また、鋼球側アクチュエーター５ｂの下方側ヘの移動を制限するように止め部１６を設けたので、必要以上にアクチュエーター５が移動しないようにしてマイクロスイッチ７の誤動作を防止することができる。
【００２７】
【発明の効果】
以上の実施例から明らかなように、本発明によれば電源のオン・オフの切り替えを行うスイッチつまみを切り替え自在に設けたスイッチ本体と、このスイッチ本体内に設けられる前記スイッチつまみの切り替えにより上下移動するスイッチ押し棒と、このスイッチ押し棒により一端が押圧される形状で上下動可能な支点を介しててこ作用をアクチュエーターと、このアクチュエーターの他端部に載置される鋼球と、この鋼球と前記スイッチ押し棒により前記アクチュエーターが押圧されたときに電源がオン・オフされるマイクロスイッチと、前記スイッチ本体が傾いたときに、前記鋼球が前記アクチュエーターより転動し前記マイクロスイッチがオフされるように移動する鋼球移動部とを備え、前記鋼球移動部に移動した鋼球は前記スイッチつまみをオフ側に切り替えることにより前記アクチュエーターの他端上に載置できる構成としたので、電気機器への取り付けに対し、取付場所が限定されることなく、壁面に取付ける電気機器にも適用することができ、電気機器を運転するために電源をオン・オフする運転スイッチを兼用して小型化することができ、また安全性を高めることができる転倒オフスイッチを提供できる。
【００２８】
また、アクチュエーターの他端部上に載置される鋼球の収納される鋼球収納部をスイッチ本体に設け、鋼球収納部の下面には前記鋼球の下方部が前記アクチュエーター上に露出するように開口し、前記鋼球を所定位置に保持する鋼球保持部を形成し、前記鋼球保持部の外方に鋼球移動部を設け、前記鋼球移動部と前記鋼球保持部を鋼球が移動容易な傾斜面で形成したので、マイクロスイッチのオン・オフの切り替えを確実に行うことができる。
【００２９】
また、アクチュエーターの支点となる軸が上下移動自在な移動溝をスイッチ本体に設け、鋼球が鋼球保持部上にあってスイッチつまみがオンに切り替えられたときに、前記アクチュエーターの支点が前記軸を介して下降しマイクロスイッチがオンされる構成としたので、マイクロスイッチのオン・オフの切り替えをスムーズに行うことができる。
【００３０】
また、アクチュエーターの支点からスイッチ押し棒により押圧されるスイッチ側アクチュエーターの長さに対し、前記支点から鋼球の載置側となる鋼球側アクチュエーターの長さを数倍長く形成したので、鋼球径を小さくすることができスイッチ本体を小型化することができる。
【００３１】
また、アクチュエーターがほぼ水平状態のときにマイクロスイッチがオンされるように鋼球の重量を設定しているので、マイクロスイッチのオン・オフの動作を確実に行うことができる。
【００３２】
また、鋼球側アクチュエーターの端部の下方側への移動を阻止するように鋼球側アクチュエーターの下端部が当接する止め部をスイッチ本体に設けたので，マイクロスイッチが誤動作するのを防止できる。
【図面の簡単な説明】
【図１】（ａ）本発明の実施例１の転倒オフスイッチのスイッチつまみオンの正常時の状態を示す断面図
（ｂ）同転倒スイッチのスイッチつまみオンの転倒時の状態を示す断面図
【図２】（ａ）同転倒スイッチのスイッチつまみオフの正状時の状態を示す断面図
（ｂ）同転倒スイッチのスイッチつまみオフの転倒時の状態を示す断面図
【図３】同転倒スイッチのスイッチ側アクチュエーターと鋼球側アクチュエーターの関係を示す断面図
【図４】同転倒スイッチを電気機器に取り付けた状態を示す上面図
【図５】同転倒スイッチを電気機器に取り付けた状態を示す正面図
【図６】従来の安全スイッチの転倒時の状態を示す断面図
【符号の説明】
１    スイッチつまみ
２    スイッチ本体
３    スイッチ押し棒
４    支点
４ａ  軸
５    アクチュエーター
５ａ  スイッチ側アクチュエーター
５ｂ  鋼球側アクチュエーター
６    鋼球
７    マイクロスイッチ
８    鋼球移動部
９    鋼球収納部
１０  開口
１１  鋼球保持部
１２  傾斜面
１３  移動溝
１４  突部
１５  突出状受部
１６  止め部
【図１】
0004138087.tif 000002
【図２】
0004138087.tif 000003
【図３】
0004138087.tif 000004
【図４】
0004138087.tif 000005
【図５】
0004138087.tif 000006
【図６】
0004138087.tif 000007